(57)【要約】【課題】近距離無線通信（ＮＦＣ）モジュールを内蔵（搭載）した衣類用アクセサリーの提供。特に、ＮＦＣモジュールをボタンやジッパーヘッドなどの衣類アクセサリーに設けることで、これらとスマートフォンなど電子端末のＮＦＣ装置と双方向でデータ通信をすることが可能な衣類用アクセサリーの提供。【解決手段】近距離無線通信モジュールが内蔵された衣類用アクセサリーであって、近距離無線通信モジュールは、衣類用アクセサリーの所定位置に設置され、近距離無線通信モジュールを有する電子デバイスとデータ通信を行う。【選択図】図１
0003204785.tif 000002
【実用新案登録請求の範囲】
【請求項１】
近距離無線通信モジュールが内蔵された衣類用アクセサリーであって、
前記近距離無線通信モジュールは、前記衣類用アクセサリーの所定位置に設置され、電子デバイスの近距離無線通信モジュールとデータ通信を行うことを特徴とする近距離無線通信モジュールを内蔵した衣類用アクセサリー。
【請求項２】
前記衣類用アクセサリーは、本体と、前記本体に結合されるカバーと、前記本体と前記カバーとの間に設けられた前記近距離無線通信モジュールとを有し、結合された前記本体と前記カバーとの間に収容空間が設けられ、
前記近距離無線通信モジュールは、前記収容空間に設置され、
前記衣類用アクセサリーは、防水機能を有することを特徴とする請求項１に記載の近距離無線通信モジュールを内蔵した衣類用アクセサリー。
【請求項３】
前記衣類用アクセサリーは、更に連結部材を有し、前記本体と前記カバーとが前記連結部材によって結合されることを特徴とする請求項２に記載の近距離無線通信モジュールを内蔵した衣類用アクセサリー。
【請求項４】
前記近距離無線通信モジュールは、近距離無線通信チップ及びアンテナを含むことを特徴とする請求項２又は請求項３に記載の近距離無線通信モジュールを内蔵した衣類用アクセサリー。
【請求項５】
前記アンテナは、前記収容空間の周囲に沿って設置されることを特徴とする請求項４に記載の近距離無線通信モジュールを内蔵した衣類用アクセサリー。
【請求項６】
前記本体及び前記カバーは、粘着剤、接着剤又は高周波溶接によって結合されていることを特徴とする請求項２に記載の近距離無線通信モジュールを内蔵した衣類用アクセサリー。
【請求項７】
前記本体及び前記カバーは、前記本体上に設置された係止部及び前記カバー上に設置された係止部により互いに係止されて結合されることを特徴とする請求項２に記載の近距離無線通信モジュールを内蔵した衣類用アクセサリー。
【請求項８】
前記本体及び前記カバーは、プラスチックからなり、射出成形により形成されることを特徴とする請求項２に記載の近距離無線通信モジュールを内蔵した衣類用アクセサリー。
【請求項９】
前記衣類用アクセサリーは、ボタン、厚型ボタン、ジッパーヘッド、パッチ、プリント及び刺繍片から選ばれる少なくとも１つ又は組み合わせであることを特徴とする請求項２に記載の近距離無線通信モジュールを内蔵した衣類用アクセサリー。
【請求項１０】
前記衣類用アクセサリーは、厚型ボタンであり、前記厚型ボタンの裏面に前記近距離無線通信モジュールを設置するための収容凹溝を有することを特徴とする請求項２に記載の近距離無線通信モジュールを内蔵した衣類用アクセサリー。
【請求項１１】
前記ボタンは、ニードルステッチのための複数のボタン孔を有することを特徴とする請求項９に記載の近距離無線通信モジュールを内蔵した衣類用アクセサリー。
【請求項１２】
前記本体及び前記カバーは、それぞれアライメント部材を有して互いに係止されることを特徴とする請求項２に記載の近距離無線通信モジュールを内蔵した衣類用アクセサリー。
【請求項１３】
前記近距離無線通信モジュールは、前記本体の中央位置に設置されることを特徴とする請求項２に記載の近距離無線通信モジュールを内蔵した衣類用アクセサリー。
【請求項１４】
前記近距離無線通信モジュールは、メモリーを有し、且つ暗号化保護機能を有することを特徴とする請求項２に記載の近距離無線通信モジュールを内蔵した衣類用アクセサリー。
【請求項１５】
前記衣類用アクセサリーは、ステッチ、粘着剤、接着剤又は熱転写によって衣類に固定されることを特徴とする請求項２に記載の近距離無線通信モジュールを内蔵した衣類用アクセサリー。
【考案の詳細な説明】
【技術分野】
【０００１】
本考案は、近距離無線通信（ＮＦＣ）モジュールを内蔵（搭載）した衣類用アクセサリー（ガーメントアクセサリー）に関し、特に、ＮＦＣモジュールを、ボタンやジッパーヘッドなどのアクセサリーに設けることで、これらアクセサリーとスマートフォンなどの電子端末のＮＦＣ装置と双方向にデータ通信をおこなうことが可能な衣類用アクセサリーに関するものである。
【背景技術】
【０００２】
近距離無線通信（Ｎｅａｒ  Ｆｉｅｌｄ  Ｃｏｍｍｕｎｉｃａｔｉｏｎ：ＮＦＣ）は、近距離の高周波無線通信技術であって、電子デバイスとの間で非接触式の点対点のデータ通信を可能にするものである（特許文献１〜特許文献４参照）。
【０００３】
特許文献１には、ＮＦＣユニット及び指紋認証ユニットを備えたドアアクセス制御装置、及び前記ドアアクセス制御装置と無線通信を行う管理手段であって、ユーザーが指紋をドアアクセス制御装置にかざして、ドアアクセス制御装置と管理手段とが協働して、ユーザーの身分認証を行い、入退出の管理や記録を行うことが開示されている。
【０００４】
特許文献２には、スマート型タイマーであって、タイマーと連結したＮＦＣモジュールと、スマート型デバイスが搭載するＮＦＣモジュールを通して、スマート型デバイスが無線によりスマート型タイマーと各種の操作やモニタリングを行うことが開示されている。
【０００５】
特許文献３には、ＮＦＣチップ搭載の指輪であって、指輪内にＮＦＣチップとアンテナをねじ施錠により固定し、指を挿入すると、ＮＦＣのセンシング距離を最低にまで低下させることで、他人が不法に強力なＮＦＣリーダーでデータを読み取ることを防止することが開示されている。
【０００６】
特許文献４には、ＮＦＣ警報モジュールが内蔵された携帯デバイスを備えた、捜索やアラームに用いられる無線通信警報装置が開示されている。具体的に、特許文献４には、前記警報モジュールに、第１センサーとディスプレイとスピーカーとが設けられ、第１センサーに、第２センサーとスピーカーが設けられたセンサーユニットとが内蔵され、第１センサーが、第２センサーを感知、若しくは第２センサーの移動を感知した場合であって、かつ、第１センサーの感知範囲から離れると、センサーユニット内のスピーカーから音が発生することが開示されている。
【０００７】
考案者は、すでに成熟したＮＦＣ技術と服飾（衣類）を結合させることで、衣類の付加価値を顕かに向上できるだけでなく、同時に服飾に活発的でユニークな価値を付与することができると考えた。例えば、プレゼントをしたいユーザーがモールなどで一着１００米ドルに満たないリーズナブルなシャツを購入した場合、予めスマートフォンのＮＦＣデバイスで製作したグリーティング録音ファイルや写真を、シャツ上のＮＦＣモジュールに転送し、プレゼントを受け取る側が、自分のスマートフォンのＮＦＣデバイスでシャツのＮＦＣモジュールにおけるプレゼントを贈る側が事前に作成したグリーティング録音ファイルや写真を受信できるようにしたとする。このようにすれば、シャツにプレゼントをしたユーザーの（無形の）気持ちが込められるため、シャツを値段のつけられない物にすることができ、その結果、当初の有形物に対する購入コストとは比べ物にならない価値を付けることが可能となる。このほか、販売業者が服飾上のＮＦＣデバイスを通して消費者との間にデータベースを設け、販売時のセールディスカウントや消費ポイントの累積などの根拠にすることもでき、ＮＦＣモジュールを搭載したインテリジェントクローズ（Ｉｎｔｅｌｌｉｇｅｎｔ  Ｃｌｏｔｈｉｎｇ：ｉＣｌｏｔｈｉｎｇ）には、限りなく発展する余地がある。
【０００８】
出願人は、インテリジェントクローズという概念について非常に建設的であると考えているが、同時に、全体の製造コストを低減しなければ、大量販売及び普及につながらないことを意識している。従って、どのようにすれば、上記機能と価格の二大要素を備えるかが、この概念の商業化が成功するかの鍵となる。
【先行技術文献】
【特許文献】
【０００９】
【特許文献１】台湾実用新案登録第Ｍ４９６８１２号明細書
【特許文献２】台湾実用新案登録第Ｍ４９４９７０号明細書
【特許文献３】台湾実用新案登録第Ｍ４９３８２７号明細書
【特許文献４】台湾実用新案登録第Ｍ４８３６１４号明細書
【考案の概要】
【考案が解決しようとする課題】
【００１０】
上記特許文献１〜特許文献４のような背景技術に鑑み、産業界のニーズに合わせるため、考案者は、数十年に亘る衣類製造の経験をもとに、最も簡単で有効な方法として、モジュール化したＮＦＣを、服飾のアクセサリー（例えば、ボタンやジッパーヘッド）に設けることを考えついた。これらアクセサリーは、アウトソーシングをすることできるので、通常であれば、製衣生産ラインの操作に影響が及ぶことがなく、最後に縫合すれば完成することができる。
【００１１】
然しながら、モジュール化されたＮＦＣを、衣類用アクセサリーに設置する際、一般市場で購入可能なＮＦＣモジュールでは体積が大きいため、衣類用アクセサリーに組み込むことが容易ではない。更に、このような衣類用アクセサリーにおいては水洗いに強く、耐衝撃性も要求されることから、衣類用アクセサリーには一定の防水機能を有して内部のＮＦＣチップやアンテナを保護しなければならず、洗浄時に破損しないよう、耐衝撃性を有することも必要となる。
特に、本考案のデザインによれば、チップ及びアンテナを含むＮＦＣモジュールを小型の衣類用アクセサリー、例えば直径１ｃｍのボタンや長さ１ｃｍのジッパーヘッドの中に設置するようにしている。
【００１２】
本考案の目的は、近距離無線通信（ＮＦＣ）モジュールを備えた衣類用アクセサリーを提供することであり、主に、商品の付加価値を向上すること、消費者に更に完全で明確な商品データを提供すること、ＮＦＣ機能を有する電子デバイス、例えばスマートフォンと相互にデータを通信することにある。
【課題を解決するための手段】
【００１３】
上記目的を達成するため、本考案によれば、近距離無線通信モジュールを内蔵した衣類用アクセサリーであって、ＮＦＣモジュールを衣類用アクセサリーのある位置（所定位置）に設け、電子デバイスの近距離無線通信モジュールとデータ通信を行う。このほか、前記衣類用アクセサリーは、本体と、前記本体と結合するカバーおよび前記本体と前記カバーとの間に設けられる前記近距離無線通信モジュールからなり、前記衣類用アクセサリーは防水機能を有する。
【考案の効果】
【００１４】
本考案の衣類用アクセサリーによれば、ボタン、ジッパーヘッド、パッチなどの各種形態に用いることができ、ニードルステッチ、ホットメルトプリント、ファスニングなどの方法で衣類に取り付けることが可能である。近距離無線通信モジュールを衣類用アクセサリーと組み合わせることで、衣類の材質、洗濯方法、生産地、製造メーカーなどの各種データを提供し、更に、各種言語文字を用いて上記データ又はユーザーが付加したいデータを提供することができる。このほか、各種アプリ（ＡＰＰ）により双方向方式又は要求方式でＮＦＣモジュールに保存されたデータを表示することも可能となる。
【図面の簡単な説明】
【００１５】
【図１】は、本考案の実施例である近距離無線通信ＮＦＣモジュールを内蔵した衣類用アクセサリーの厚型ボタンの概略図である。
【図２】本考案の実施例である近距離無線通信ＮＦＣモジュールを内蔵した衣類用アクセサリーの薄型ボタンの断面図である。
【図３】本考案の実施例である近距離無線通信ＮＦＣモジュールを内蔵した衣類用アクセサリーのジッパーヘッドの断面図である。
【図４】本考案の実施例である近距離無線通信ＮＦＣモジュールを内蔵した衣類用アクセサリーのパッチの断面図である。
【図５】本考案の別の実施例である近距離無線通信ＮＦＣモジュールを内蔵した衣類用アクセサリーの薄型ボタンの分解斜視図である。
【図６】図５の近距離無線通信ＮＦＣモジュールを内蔵していない場合の分解斜視図である。
【図７】本考案の他の実施例である近距離無線通信ＮＦＣモジュールを内蔵したジッパーヘッドを示す図であって、（ａ）は平面概略図、（ｂ）は底面概略図、（ｃ）は側面概略図である。
【図８】本考案の実施例である近距離無線通信ＮＦＣモジュールを内蔵した衣類用アクセサリーの本体及びカバーの結合の各種形態を示す図であって、（ａ）は縦方向に結合する場合を示す図、（ｂ）は横方向に結合する場合を示す図、（ｃ）螺旋状に結合する場合を示す図である。
【考案を実施するための形態】
【００１６】
本考案に関する技術内容、特徴及び効果について、以下、参考図を参照しつつ、より好ましい実施例を具体的に説明する。以下の実施例で用いる方向に関する用語（上、下、左、右、前又は後など）は、図面における方向を示しているもので参考に過ぎないものである。従って、以下の方向に関する用語は説明に用いられるのであって、本考案を制限しない。図面中、同じ部材については同じ符号で表し、各部材の特徴を明確に説明するため、そのサイズ、部材間の比例などは図面の制限を受けず、本考案の要旨から逸脱しない限り、各種変更が可能である。
【００１７】
本考案の実施態様によれば、近距離無線通信モジュールの衣類用アクセサリー（ガーメントアクセサリー）は、近距離無線通信モジュールを衣類用アクセサリーのある位置に設けられ、電子デバイスの近距離無線通信モジュールとデータ通信を行う。更に、前記衣類用アクセサリーは、本体と、本体と結合するカバーと、本体とカバーとの間に設置される近距離無線通信モジュールとから構成されている。衣類用アクセサリーは、防水機能を有する。衣類用アクセサリーは、ボタン、ジッパーヘッド、パッチなどの各種形態に用いることができ、ニードルステッチ、ホットメルトプリント、ファスニングなどの方法を用いて服飾上に設置される。
図１〜図４に示すように、これら図面には、それぞれ、本考案の近距離無線通信モジュールの衣類用アクセサリーの実施態様である、厚型ボタン１、薄型ボタン２、ジッパーヘッド３及びパッチ４が示されている。
厚型ボタン１は、本体１１、カバー１２及び凹溝２１に内蔵される近距離無線通信モジュールを含む。
図２に示すように、２は薄型ボタン、２２は本体及びカバーを貫通するボタン孔、２３はＮＦＣチップ、２４はアンテナ、２５は本体をそれぞれ示している。なお、図２は断面図であるため、カバーは図示していない。薄型ボタン２のカバーの形状は、本体２５と鏡像対称を成している。
図３は、ジッパーヘッド３を示したものであり、３３はＮＦＣチップ、３４はアンテナ、３５は本体をそれぞれ示している。
図４に示すように、４はパッチ、４３はＮＦＣチップ、４４はアンテナ、４５は本体をそれぞれ示している。
【００１８】
本体及びカバーの結合は、例えば（１）接続部材による本体及びカバーの結合、（２）粘着剤又は接着剤による結合、（３）高周波溶接などによる結合（特に、超音波溶接）、（４）本体に設置された係止部と、カバーに設置された係止部とを互いにファスニング（締結）することによる結合、（５）射出成型により本体及びカバーを一体成形する方法などが挙げられる。本体及びカバーの結合は、図１〜図４の横方向に結合する場合に限らず、縦方向又は螺旋状に結合してもよい。例えば、図８には、本考案の実施例である近距離無線通信モジュールの衣類用アクセサリーであって、本体１１とカバー１２の各種形態の結合をしたものであって、（ａ）は縦方向に結合する場合を、（ｂ）横方向に結合する場合を、（ｃ）は螺旋状に結合する場合をそれぞれ示している。即ち、本体及びカバーは、平板形状に限らず、相互に結合する任意の形状に形成することができる。
【００１９】
本考案の衣類用アクセサリーは、本体及びカバーを結合した後、防水機能を有する。より好ましくは、粘着剤、接着剤又は高周波溶接により得られる衣類用アクセサリー、又は射出成形で一体形成した本体及びカバーからなる衣類用アクセサリーである。射出成型を用いる場合、ＮＦＣモジュールは、先に、アライメント部材（又は固定ピン）で固定をするか、保護部材で被覆したのち、射出成型機に搬送してプラスチックで包む。使用するプラスチックは、各種常用のプラスチックであってよく、かかる場合、ＮＦＣモジュールは射出成型温度を超える温度にも耐えることが可能となる。射出成形温度は２００℃以下が好ましい。射出後、更にアライメント部材に対して補填を行う。
【００２０】
更に、連結部材を用いて結合した後、更に粘着剤又は高周波を用いて本体及びカバーを溶接するか、又は、連結部材による結合前に結合部位に粘着剤又は接着剤を塗布してから結合すると、機械強度がより向上し、且つ、より防水機能の優れた、衣類用アクセサリーを得ることができる。上記結合方法は、単独又は２種以上の方法を用いて、衣類用アクセサリーの本体及びカバーを結合してもよい。衣類用アクセサリーは、厚型ボタン、薄型ボタン、ジッパーヘッド、パッチなどの各種形態であってもよい。例えば、係止部によりファスニングした後、更に、粘着剤又は接着剤を補充するか、又は、ファスニング前に結合部位に粘着剤又は接着剤を塗布して防水機能を強化する。本体及びカバーの材料としては、アクリル樹脂、ポリカーボネート樹脂、アクリルニトリル−ブタジエン−スチレン共重合体樹脂（ＡＢＳ樹脂）、樹脂と繊維の複合材料又は多層材などを用いることができる。
【００２１】
図５は、本考案の他の実施例による近距離無線通信モジュールの衣類用アクセサリーの薄型ボタン２’の分解斜視図、図６は、図５において近距離無線通信モジュールを設けていない場合の分解斜視図である。
このうち、２３’はＮＦＣチップを内蔵する凹溝、２６はカバー、２７、２７’はアライメント部材である。本体２５上のアライメント部材２７は２つの突出ピンであり、カバー２６上のアライメント部材２７’は２つの凹溝である。ボタンの形態としては、図２及び図５に示すような４つのボタン孔以外に、２孔ボタンやボタン孔なしでもよい。ボタン孔なしのボタンの場合、例えば、カフスや底部に半円形のリングが設けられるボタンなどであってもよい。
【００２２】
図７は、本考案の他の実施例による近距離無線通信モジュール内蔵の衣類用アクセサリーのジッパーヘッド３’を示す図であって、（ａ）は平面概略図、（ｂ）は底面概略図、（ｃ）は側面概略図である。また、図中、３５は本体、３６はカバー、３７は連結部材をそれぞれ示している。
【００２３】
近距離無線通信モジュールは、少なくとも近距離無線通信チップ及びアンテナを備え、本体とカバーとの間、又は、連結部材により結合された本体とカバーとの間に収容空間を有し、この収容空間内に近距離無線通信モジュールを設置する。近距離無線通信チップは、例えば、Ｍｉｆａｒｅ  ＮＦＣ  Ｃｌａｓｓｉｃ  Ｔａｇ又はこれと互換性のあるチップ、例えば、ＮＴＡＧ２０３、ＮＴＡＧ２１３、ＮＴＡＧ２１５、ＮＴＡＧ２１６など又はこれらに類似する商品が挙げられるが、これらに限定されない。近距離無線通信チップは、本体の収容空間の中央位置又は縁部に設置され、アンテナは、収容空間の周囲に沿って設置される。近距離無線通信モジュールは、メモリーを備え、各種データ、例えば、衣類の材質、洗濯指示及び生産履歴などのデータが保存され、暗号化保護機能を有することによって、データの安全性を保護する。
【００２４】
本考案によれば、近距離無線通信モジュールを内蔵した衣類用アクセサリーを提供する。本考案の衣類用アクセサリーは、ボタン、ジッパーヘッド、パッチなどの各種形態があり、ニードルステッチ、ホットメルトプリント、ファスニングなどの方法で衣類上に設置される。更に、本考案の衣類用アクセサリーは、ボタン、ジッパーヘッド及びパッチに限られず、例えば、プリント又は刺繍片であってもよい。この場合、近距離無線通信モジュールをより薄型化して（近距離無線通信チップとアンテナを扁平状にして）、プラスチックフィルムで保護した後、衣類上に縫い付け、熱転写又は粘着させる。近距離無線通信モジュールを衣類用アクセサリー中にまとめることで、衣類の材質、洗濯方法、生産地、製造メーカーなどの各種データを提供することができ、更に、各種言語文字で上記データ若しくはユーザーが付加したいデータを提供することが可能とある。このほか、各種アプリ（ＡＰＰ）により双方向方式又は要求方式で近距離無線通信モジュールに保存されたデータを表示することができる。近距離無線通信モジュールは、メモリーを備え、各種データ、例えば衣類の材質、洗濯方法、生産履歴などのデータを保存することもできる。
【００２５】
以上、本考案の実施例を、図面を参照しつつ詳述してきたが、具体的な構成は、この実施例に限られるものではなく、本考案の要旨を逸脱しない範囲の設計変更等があっても、本考案に含まれる。また、本考案の任意の実施例又は請求項は、本考案に開示された全ての目的又は特徴を達成する必要はない。このほか、要約や標題（考案の名称）は、特許文献の検索用に用いられるのであって、本考案の権利範囲を制限するものではない。
【符号の説明】
【００２６】
１  厚型ボタン
１１  本体
１２  カバー
２１、２３’  （ＮＦＣモジュールを内蔵する）凹溝
２、２’  薄型ボタン
２２  ボタン孔
２３、３３、４３  ＮＦＣチップ
２４、３４、４４  アンテナ
２５、３５、４５  本体
２６、３６  カバー
２７、２７’  アライメント部材
３  ジッパーヘッド
３７  連結部材
４  パッチ
【図１】
0003204785.tif 000003
【図２】
0003204785.tif 000004
【図３】
0003204785.tif 000005
【図４】
0003204785.tif 000006
【図５】
0003204785.tif 000007
【図６】
0003204785.tif 000008
【図７】
0003204785.tif 000009
【図８】
0003204785.tif 000010